(57)【要約】【課題】デジタルカメラ等の画データ入力装置のメモリに蓄積された画データを簡単に取り出して保存することができ、しかも、未だ保存していない画データのみを取り出して保存することができる画像保存装置を提供すること。【解決手段】画データ入力装置３１の自装置１への載置を検出する載置検出手段と、画データ入力装置３１から画データのファイルに関する情報を受信する受信手段と、受信した画データのファイルに関する情報に基づいて未保存の画データを特定する手段と、特定した未保存の画データを前記画データ入力装置に対して要求する手段と、前記要求の応答として送信されてきた画データを受信する受信手段と、該手段により受信した画データを保存する手段と、を備える画像保存装置１。【選択図】図３
2005064787.tif 000002
【特許請求の範囲】
【請求項１】
画データ入力装置の自装置への載置を検出する載置検出手段と、画データ入力装置から画データのファイルに関する情報を受信する第１の受信手段と、受信した画データのファイルに関する情報に基づいて未保存の画データを特定する手段と、特定した未保存の画データを前記画データ入力装置に対して要求する手段と、前記要求の応答として送信されてきた画データを受信する第２の受信手段と、該手段により受信した画データを保存する手段と、を備えることを特徴とする画像保存装置。
【請求項２】
前記第２の受信手段により受信した画データを記録媒体へ記録する手段を備えることを特徴とする請求項１記載の画像保存装置。
【請求項３】
自装置へ載置された画データ入力装置の二次電池を充電するための電力を供給する充電手段を備えることを特徴とする請求項１記載の画像保存装置。
【請求項４】
外部メモリの自装置への載置を検出する載置検出手段と、外部メモリから画データのファイルに関する情報を受信する受信手段と、受信した画データのファイルに関する情報に基づいて未保存の画データを特定する手段と、特定した未保存の画データを前記外部メモリから取得する手段と、該手段により取得した画データを保存する手段と、を備えることを特徴とする画像保存装置。
【発明の詳細な説明】
【技術分野】
【０００１】
本発明は、デジタルカメラ等のメモリに蓄積された画データを取り出して保存するための画像保存装置に関するものである。
【背景技術】
【０００２】
デジタルカメラで撮像された画データは、パーソナルコンピュータ等に保存されるのが一般的である。画データをパーソナルコンピュータに保存する場合は、デジタルカメラとパーソナルコンピュータをＵＳＢ（Ｕｎｉｖｅｒｓａｌ  Ｓｅｒｉａｌ  Ｂｕｓ）等の配線により接続し、パーソナルコンピュータで所定のドライバソフトウエアを起動する。或いは、撮像された画データがメモリカード等の記録媒体に蓄積するタイプのデジタルカメラにあっては、メモリカード等をパーソナルコンピュータのメモリ読取装置に接続する。そして、パーソナルコンピュータの画面上に表示されたデジタルカメラのメモリに蓄積されている画データのファイル名を選択することによりユーザが希望する画データをＰＣ内に取り込んで保存する。
【０００３】
特許文献１には、クレードルにデジタルカメラを装着してデジタルカメラの内部メモリに蓄積された画データをパーソナルコンピュータの液晶ディスプレイに表示しながら、ユーザが不要画像の消去を行うことができる装置が開示されている。
【特許文献１】特開２００２−３７４４４７号公報
【発明の開示】
【発明が解決しようとする課題】
【０００４】
デジタルカメラに蓄積された画データを上記したようにパーソナルコンピュータに保存する場合は、ＵＳＢ等によるデジタルカメラとパーソナルコンピュータとの接続作業、ＵＳＢケーブルの取り出し片付け作業、メモリカード等のＰＣへの着脱作業など面倒な作業が必要である。
【０００５】
また、ユーザがデジタルカメラのメモリに蓄積されている画データのうちパーソナルコンピュータに保存されていないもののみを保存する場合は、パーソナルコンピュータの画面上に表示された画データのファイル名及びタイムスタンプとパーソナルコンピュータに保存されているそれとを比較して、保存されていない画データを識別する作業が必要となる。
【０００６】
本発明はかかる課題に鑑みてなされたものであり、デジタルカメラ等の画データ入力装置のメモリに蓄積された画データを簡単に取り出して保存することができ、しかも、未だ保存していない画データのみを取り出して保存することができる画像保存装置を提供することを目的とする。
【課題を解決するための手段】
【０００７】
請求項１記載の画像保存装置は、画データ入力装置の自装置への載置を検出する載置検出手段と、画データ入力装置から画データのファイルに関する情報を受信する第１の受信手段と、受信した画データのファイルに関する情報に基づいて未保存の画データを特定する手段と、特定した未保存の画データを前記画データ入力装置に対して要求する手段と、前記要求の応答として送信されてきた画データを受信する第２の受信手段と、該手段により受信した画データを保存する手段と、を備えることを特徴としている。
【０００８】
請求項２記載の画像保存装置は、請求項１記載の画像保存装置において、前記第２の受信手段により受信した画データを記録媒体へ記録する手段を備えることを特徴としている。
【０００９】
請求項３記載の画像保存装置は、請求項１記載の画像保存装置において、自装置へ載置された画データ入力装置の二次電池を充電するための電力を供給する充電手段を備えることを特徴としている。
【００１０】
請求項４記載の画像保存装置は、外部メモリの自装置への載置を検出する載置検出手段と、外部メモリから画データのファイルに関する情報を受信する受信手段と、受信した画データのファイルに関する情報に基づいて未保存の画データを特定する手段と、特定した未保存の画データを前記外部メモリから取得する手段と、該手段により取得した画データを保存する手段と、を備えることを特徴としている。
【発明の効果】
【００１１】
請求項１記載の画像保存装置によれば、ユーザは、デジタルカメラ等の画像入力装置を画像保存装置上に載置するだけで、何らの操作も行わずに、画像入力装置のメモリに蓄積されている画データの中から画像保存装置に保存されていないもののみを取り出して画像保存装置に保存することができる。
【００１２】
請求項２記載の画像保存装置によれば、記録媒体へも画データを保存することができる。
【００１３】
請求項３記載の画像保存装置によれば、画像入力装置内の画データを取り出して保存すると同時に、画像入力装置の二次電池の充電もすることができる。
【発明を実施するための最良の形態】
【００１４】
以下、本発明の実施の形態に係る画像保存装置について図面に基づき説明する。図１に画像保存装置１の構成例を示す。すなわち、画像保存装置１は、ＣＰＵ（中央処理装置）２、ＲＡＭ（ランダムアクセスメモリー）３、ＲＯＭ（リードオンリーメモリー）４、画データ記憶部５、表示部６、操作部７、電源供給回路８、第１データインタフェース９Ａ、第２データインターフェース９Ｂ及び記録媒体書込み装置１０を備えたものであって、各部２乃至１０は通信可能にバス１１によって接続されている。
【００１５】
ＣＰＵ２は、ＲＯＭ４に格納されたプログラムに従って、この画像保存装置１を構成する各部を制御する。ＲＡＭ３は、ＣＰＵ２のプログラム実行処理に際して発生する諸データや設定情報等を記憶する記憶部として機能する。ＲＯＭ４は、ＣＰＵ２によりこの画像保存装置１の各部の動作が制御されるための各種プログラムを記憶している。
【００１６】
画データ記憶部は、画像保存装置１が画像入力装置から受信した画データを記憶保存するものであり、例えばハードディスク装置、読書き可能なメモリ等によって構成することができる。
【００１７】
表示部６は例えば操作部７に並設されたＬＣＤ（Ｌｉｑｕｉｄ  Ｃｒｙｓｔａｌ  Ｄｉｓｐｌａｙ）からなり、各種の画面情報を表示する。操作部７は、各種情報を入力する入力キーや表示部６に表示されるカーソル、反転表示等を移動、選択するためのカーソルキーなどを具備する。
【００１８】
電源供給回路８は、画像保存装置１に載置される画像入力装置３１の２次電池を充電するために電力を供給する充電手段として機能するものである。図２に示すように、電源供給回路８は、画像入力装置３１が備える電源入力端子３３に接続される電源供給端子１４を有しており、これらの端子１４、３３が接続されることにより画像入力装置内の２次電池の充電が開始される（図２参照）。
【００１９】
第１データインタフェース９Ａは、画像入力装置３１とのデータインターフェースとして機能する。また、画像入力装置３１に設けられたデータ転送端子３２に接続されるデータ入力端子１３を有しており、これらの端子１３、３２の接続を検出する手段としても機能する。
【００２０】
第２データインタフェース９Ｂは、コンパクトフラッシュ（Ｒ）等の外部メモリ３４とのインターフェースとして機能する。また、外部メモリ３４に設けられたデータ転送端子３４ａに接続されるメモリ接続端子１６を備え、これらの端子３４ａ、１６の接続を検出する手段としても機能する。
【００２１】
記録媒体書込み装置１０は、コンパクトフラッシュ（Ｒ）等の記録媒体１０ａへデータを書き込む装置である。
【００２２】
図２に示すように、画像保存装置１の上部には、画像入力装置３１が画像保存装置１に載置されるときに、画像入力装置３１の下面に設けられた端子３２、３３が画像保存装置１の上面に設けられた端子１３、１４に接続され易いように、画像入力装置３１を特定位置（載置場所）にガイドするガイド手段１５が設けられている。図示するガイド手段１５は、該手段１５に画像入力装置３１の筐体外周面が嵌挿されるような形状となっている。また、画像入力装置３１のガイド手段１５への嵌挿を容易にするためにガイド手段の内周角部１５ａには、面取りが施されている。さらに、画像保存装置１の上部には、外部メモリ３４を接続するためのメモリ接続端子１６と、上記ガイド手段と同様に外部メモリ３４が端子１６に接続され易いように特定位置（載置場所）にガイドするメモリガイド手段１６ａも設けられている。
【００２３】
画像入力装置３１は、図３に示すような構成を備える。メモリ（着脱可能に装着されるカード型メモリ等であってもよい。）３５は、画データ及び、画データのファイル名、タイムスタンプ、ファイル内に埋め込まれた識別番号等の画データのファイルに関する情報を記憶する。データインターフェース３６は、ＣＰＵ３７の命令に従って画像保存装置１へデータを転送する。電源回路３８は、画像保存装置１の電源供給回路８から電力の供給を受けて充電回路３９に電力を供給する。充電回路３９は、電源回路３９から供給される電力により自身に装着された２次電池４０を充電する。
【００２４】
上記ハードウエア構成を備える画像保存装置１及び画像入力装置３１は、図２の状態から図３の状態に示すように、画像入力装置３１が画像保存装置１に載置されると、画像入力装置３１のデータ転送端子３２は、画像保存装置１のデータ入力端子１３に接続され、画像入力装置３１の電源入力端子３３は、画像保存装置１の電源供給端子１４に接続される。すると、画像保存装置１は、端子３１と１３の接続により画像入力装置１の載置を認識し、図４に示す通信シーケンスを形成する。
【００２５】
すなわち、画像保存装置１が画像入力装置３１の載置を検出すると（Ｓ１）、画像入力装置３１に対して、画像入力装置が有する画データのファイル名、画データのタイムスタンプ等を要求するための信号（以下「ファイル名等要求信号」という。）を送信する（Ｓ２）。ファイル名等要求信号を受信した画像入力装置３１は、自身が有する画データのファイル名、タイムスタンプ等の画データのファイルに関する情報の一覧を画像保存装置へ送信する（Ｓ３）。ここで、画データのファイル名、タイムスタンプ等の一覧情報は、これを受信した画像保存装置１がファイル名と当該ファイルのタイムスタンプ等の対応を識別できるものであればよい。例えば図５に示すように、各ファイル名にタイムスタンプ等（タイムスタンプ以外の情報は不図示）の情報が応付けられているものがよい。
【００２６】
画像保存装置１が画データのファイル名、タイムスタンプ等の画データのファイルに関する情報を受信すると、受信したファイル名、タイムスタンプ等と自身の画データ記憶部５に記憶している画データのファイル名、タイムスタンプ等とに基づいて、保存されていないファイル名及び更新されているファイル名の画データを未保存の画データとして特定し（Ｓ４）、特定した未保存の画データのファイル名の一覧を画像入力装置３１に対して送信することにより（Ｓ５）、未保存の画データを画データ入力装置３１に対して要求する。
【００２７】
画像入力装置３１が画データのファイル名を受信すると、受信したファイル名の画データを、そのファイル名、タイムスタンプその他の画データのファイルに関する情報と共に、画像保存装置１に対して送出する（Ｓ６）。そして、画像保存装置１は、受信した画データ及び、タイムスタンプ等の画データのファイルに関する情報を画データ記憶部５に保存する（Ｓ７）。
【００２８】
画像保存装置１内には、前記Ｓ６で受信した画データの削除を画像入力装置３１に対して要求するか否かの設定情報がＲＡＭ３の所定領域に登録されており、その設定情報が削除要求設定になっている場合は（Ｓ８：ＹＥＳ）、画像入力装置３１に対して前記Ｓ６で受信したファイル名及び該ファイル名の画データの削除を要求する削除要求信号を送信する（Ｓ９）。この削除要求信号を受信した画像入力装置３１は、指定されたファイル名の画データを削除する。なお、画像入力装置３１に対して要求するか否かの設定情報は操作部７からの所定操作によりユーザが自由に変更することができるようになっている。
【００２９】
上記通信シーケンスにおいて、画像保存装置１が実行する処理動作を更に詳細に図６及び図７に示すフローチャートに基づいて説明する。なお、このフローチャートに基づいて説明する画像保存装置１の処理動作は、ＲＯＭ４に格納されている制御プログラムに基づいてＣＰＵ２が発行する命令に従って行われる。
【００３０】
すなわち、画像保存装置１が画像入力装置３１の載置場所への載置を検出すると（Ｓ５１：ＹＥＳ）、画像保存装置１の電源供給回路８は、画像入力装置３１の電源回路３９に対して電力を共有し（Ｓ５２）、画像入力装置３１が有する二次電池４０の充電が開始される。
【００３１】
次いで、画像入力装置３１に対して、ファイル名等要求信号を送信することにより画像入力装置３１に現在保存されている画データのファイル名、タイムスタンプ等の画データのファイルに関する情報の一覧を要求する（Ｓ５４）。
【００３２】
次いで、画像入力装置３１から画像ファイル名、タイムスタンプ等の画データのファイルに関する情報の一覧を受信し、自装置１の画データ記憶部５に蓄積している画データのファイル名、タイムスタンプ等と取得した画データのファイル名、タイムスタンプ等に基づいて、未保存の画データを特定し（Ｓ５５）、特定した画データのファイル名の一覧を画データ入力装置３１へ送信する（Ｓ５６）。
【００３３】
前記Ｓ５６の送信の応答として画像入力装置３１から送信されてきた画データ及び、ファイル名、タイムスタンプ等の画データのファイルに関する情報を受信し（Ｓ５７）、画データ、画データのファイルに関する情報を画データ記憶部５に保存する（Ｓ５８）。
【００３４】
そして、受信した画データの削除を画像入力装置３１に対して要求するか否かの設定情報が削除要求設定になっている場合には（Ｓ５９：ＹＥＳ）、前記Ｓ５７で受信した画データのファイル名及び削除要求信号を画像入力装置３１に対して送信する（Ｓ６０）。削除を要求しない設定になっている場合には（Ｓ５９：ＮＯ）、前記Ｓ６０の処理は行わない。
【００３５】
次いで、記録媒体１０ａへの書込み設定（設定は予め機器設定として登録されている。）が有効になっており（Ｓ６１：ＹＥＳ）、記録媒体書込み装置１０に記録媒体１０ａがセットされている場合は（Ｓ６２：ＹＥＳ）、その記録媒体１０ａに前記Ｓ５７で受信した画データ、画データのファイル名等の属性データを保存するための空き領域があるか否かを判断し（Ｓ６３）、保存するための空き領域がある場合には、前記Ｓ５７で受信した画データ及び、画データのファイルに関する情報をその記録媒体１０ａに記録する（Ｓ６４）。なお、記録媒体１０ａへの書込み設定が無効になっている場合は（Ｓ６１：ＮＯ）、一連の処理動作を終了する。
【００３６】
一方、前記Ｓ６２において、記録媒体１０ａがセットされていないと判断した場合（Ｓ６２：ＮＯ）、及び前記Ｓ６３において、空き領域がないと判断した場合（Ｓ６３：ＮＯ）は、その旨をユーザに報知する動作を行う（Ｓ６５）。具体的には、例えば、その旨の情報の表示部６への表示や警告音の鳴動（スピーカ等の鳴動手段は不図示。）等により行う。ここで、書込み処理をキャンセルするための所定操作が操作部７においてユーザによりなされた場合は（Ｓ６６：ＹＥＳ）、一連の処理動作を終了する。
【００３７】
一方、前記Ｓ５１において、画像入力装置３１が載置されずに（Ｓ５１：ＮＯ）、外部メモリ３４が画像保存装置１の載置場所に載置されることにより、装置１のメモリ接続端子１６に接続されると（Ｓ５３：ＹＥＳ）は、画像保存装置１は、接続により外部メモリ３４の載置を検出し、外部メモリ３４から画データのファイル名、タイムスタンプ等の画データのファイルに関する情報の一覧を取得する（Ｓ６７）。そして、取得した画データのファイル名、タイムスタンプ等と画データ記憶部５に記憶している画データのファイル名、タイムスタンプ等とに基づいて、自装置１が未保存の画データを特定し（Ｓ６８）、特定した画データ及び、そのファイル名等の画データのファイルに関する情報を外部メモリ３４から取得して画データ記憶部５に保存する（Ｓ６９）。
【００３８】
そして、受信した画データの削除を画像入力装置３１に対して要求するか否かの設定情報が削除要求設定になっている場合には（Ｓ７０：ＹＥＳ）、外部メモリ２４に格納されている画データのうち、前記Ｓ６９で取得した画データと同じものの削除を行う（Ｓ７１）。その後は、前記Ｓ６１へ移行して前述した処理動作を行う。
【００３９】
以上の説明から明らかなように、本実施の形態に係る画像保存装置１によれば、デジタルカメラ等の画像入力装置３１を画像保存装置１上に載置するだけで、何らの操作も必要とせずに、画像入力装置３１に保存されている画データの中から、画像保存装置１が未保存の画データのみを取り出して保存することができ、併せて画像入力装置３１の二次電池の充電も行うことができる。また、画データが外部メモリ３４に蓄積されるタイプの画像入力装置３１の場合は、外部メモリ３４をメモリ接続端子１６に接続するだけで、何らの操作も必要とせずに、外部メモリ３４に保存されている画データの中から、画像保存装置１が未保存の画データのみを取り出して画像保存装置１に保存することができる。
【００４０】
さらに、画像入力装置３１のメモリ３５又は外部メモリ３４から読み出した画データをメモリ３４、３５に残すか削除するかの処理を設定により選択することができるので、よりユーザの意図に即した装置１の運用が可能となる。
【産業上の利用可能性】
【００４１】
本発明は、例えば、デジタルカメラのように内部に蓄積した画データを取り出して保存するための電子機器に適用することができる。
【図面の簡単な説明】
【００４２】
【図１】本発明の実施の形態に係る画像保存装置の構成例を示した図である。
【図２】本発明の実施の形態に係る画像保存装置と画像入力装置の概略構成を示した図であって、画像入力装置が画像保存装置に載置されていない状態を示した図である。
【図３】本発明の実施の形態に係る画像保存装置に画像入力装置が載置された状態を示した概略構成図である。
【図４】画像保存装置に画像入力装置が載置された時に、双方の間で形成される通信手順の概略を示したシーケンス図である。
【図５】ファイル名とタイムスタンプの一覧の例を示した図である。
【図６】画像保存装置に画像入力装置が載置された時に、画像保存装置が実行する処理動作を示したフローチャートである。
【図７】画像保存装置に画像入力装置が載置された時に、画像保存装置が実行する処理動作を示したフローチャートである。
【符号の説明】
【００４３】
１    画像保存装置
２    ＣＰＵ
３    ＲＡＭ
４    ＲＯＭ
５    画データ記憶部
８    電源供給回路
９Ａ    第１データインタフェース
９Ｂ    第２データインタフェース
１０    記録媒体書込み装置
１０ａ    記録媒体
１３    データ入力端子
１４    電源供給端子
１６    メモリ接続端子
３１    画像入力装置
３２    データ転送端子
３３    電源入力端子
３４    外部メモリ
３５    メモリ
３６    データ転送インタフェース
４０    二次電池
【図１】
2005064787.tif 000003
【図２】
2005064787.tif 000004
【図３】
2005064787.tif 000005
【図４】
2005064787.tif 000006
【図５】
2005064787.tif 000007
【図６】
2005064787.tif 000008
【図７】
2005064787.tif 000009